(57)【要約】【課題】作業効率がよくかつ、容易に排水溝を形成可能な部分耕耘直播機を提供する。【解決手段】部分耕耘直播機は、播種作業を行う圃場面を耕起するロータリ装置３を備えた耕耘ユニットと、播種機を備えた播種ユニットとがツールバーによって連結されて構成されている。排出溝３２を形成する作溝爪３１は、爪軸３５をサイドプレート１３の軸受部３３から突出した耕耘軸１２の突出部１２ａに取付けられており、その回転直径Ｌは耕耘爪１５の回転直径Ｍよりも大きく形成されている。また、作溝爪３３は耕耘爪１５よりもその横刃部３１ｂが長くかつ、曲率が小さく形成されている。作溝爪３３はトラクタが圃場を往復すると、回転して耕起部１７の側方にその横刃部３１ｂによって排水溝３２を形成する。【選択図】図３
2009291094.tif 000002
【特許請求の範囲】
【請求項１】
耕耘軸に耕耘爪を取付けたロータリ装置を有する耕耘ユニットと、前記耕耘爪により形成された耕起部に播種溝を形成する溝切り刃及び該播種溝に種子を播く播種機を有する播種ユニットと、を備えた部分耕耘直播機において、
前記耕耘爪による耕起部の左右端部のいずれか一方の外側に、排水溝を形成する作溝手段を設け、
前記作溝手段によって播種作業と同時に排水溝を形成する、
ことを特徴とする部分耕耘直播機。
【請求項２】
前記作溝手段は、前記耕耘軸の左右のどちらか一端に取付けられた作溝爪であり、該作溝爪は、その回転直径を前記耕耘爪の回転直径よりも大きくすると共に、先端部の前記耕耘軸方向の曲がりを、前記耕耘爪の曲がりよりも長くかつ、曲率が小さくなるよう形成した、
請求項１記載の部分耕耘直播機。
【発明の詳細な説明】
【技術分野】
【０００１】
本発明は、不耕起状態の圃場を部分的に耕起し、播種などの作業を行う部分耕耘直播機に関する。
【背景技術】
【０００２】
従来、トラクタの後部に装着され、圃場を部分的に耕起する耕耘ユニット（部分耕耘装置）と、該耕耘ユニットの後方に設けられた播種ユニット（播種装置）とを備え、耕耘ユニットに設けられたロータリ装置の耕耘爪によって耕起部（耕起溝）を設けると共に、この耕起部に播種ユニットの溝切リ刃によって播種溝を形成し種子を播く部分耕耘直播機（耕起施肥播種装置）が案出されている（特許文献１参照）。
【０００３】
【特許文献１】特開２００１−２９９０３０号公報
【発明の開示】
【発明が解決しようとする課題】
【０００４】
上記特許文献１記載のような部分耕耘直播機を用いた大豆、小麦及び稲などの乾田直播栽培は、耕耘機により圃場を全面耕耘する必要が無く、作業時間を大幅に短縮することが出来るが、出芽期の湿害に弱いため、排水対策として圃場に排水溝を形成することが必要不可欠であり、せっかく圃場を耕耘する分だけ作業時間を短縮しても、この排水溝を形成するのに時間を要してしまっていた。
【０００５】
また、播種の往復作業で条間を揃えるには、作業幅を考慮して正確に排水溝を形成しなければならないと共に、播種作業中に車輪が落ち込んで、形成した排水溝を崩壊させてしまうこともあった。
【０００６】
そこで本発明は、播種作業と同時に排水溝を形成する作溝手段を設けることによって、上記課題を解決した部分耕耘直播機を提供することを目的とする。
【課題を解決するための手段】
【０００７】
請求項１に係る発明は、耕耘軸（１２）に耕耘爪（１５）を取付けたロータリ装置（３）を有する耕耘ユニット（２）と、前記耕耘爪（１５）により形成された耕起部（１７）に播種溝を形成する溝切り刃（２２）及び該播種溝に種子を播く播種機（２３）を有する播種ユニット（５）と、を備えた部分耕耘直播機（１）において、
前記耕耘爪（１５）による耕起部（１７）の左右端部のいずれか一方の外側に、排水溝（３２）を形成する作溝手段（３１，３７）を設け、
前記作溝手段（３１，３７）によって播種作業と同時に排水溝（３２）を形成する、
ことを特徴とする部分耕耘直播機（１）にある。
【０００８】
請求項２に係る発明は、前記作溝手段（３１，３７）は、前記耕耘軸（１２）の左右のどちらか一端に取付けられた作溝爪（３１）であり、該作溝爪（３１）は、その回転直径（Ｌ）を前記耕耘爪（１５）の回転直径（Ｍ）よりも大きくすると共に、先端部の前記耕耘軸方向の曲がり（３１ｂ）を、前記耕耘爪（１５）の曲がり（１５ｂ）よりも長くかつ、曲率が小さくなるよう形成した、
請求項１記載の部分耕耘直播機にある。
【０００９】
なお、括弧内の符号等は、図面と対照するためのものであるが、これにより特許請求の範囲に何等影響を及ぼすものではない。
【発明の効果】
【００１０】
請求項１に係る発明によると、部分耕耘直播機の左右どちらか一方に作溝手段を設けることによって、圃場を往復しながら行う播種作業と同時に正確に排水溝を形成することができる。そのため、排水溝を播種作業前に形成する必要がなく、播種作業中にせっかく形成した排水溝を壊してしまうこともないため、作業時間が大幅に短縮することができる。また、排水溝を掘る溝堀機を別途購入する必要がなく、コストを低く抑えることができる。
【００１１】
請求項２に係る発明によると、作溝爪の回転直径を耕耘爪の回転直径よりも大きくすると共に、その先端部の湾曲部分を耕耘爪よりも長くして圃場を掻き取る幅を広くしたことにより、排水溝を深くかつ、幅広に形成することができる。また、作溝爪の湾曲部分の曲がりを耕耘爪よりも緩くしたことによって、掻取った土を遠方に飛ばすことができ、掻取った土がその内部に残ることなく排水溝を形成することができる。
【発明を実施するための最良の形態】
【００１２】
以下に本発明に係る部分耕耘直播機１について、図面に沿って説明をする。
【００１３】
＜実施形態１＞
図１に示すように、本実施形態に係る部分耕耘直播機１は、圃場をロータリ装置３によって部分的に耕起する耕耘ユニット２と、耕起された圃場に播種をする播種ユニット５とがツールバー６を介して連結して構成されており、耕耘ユニット２に設けられたヒッチ部７によってトラクタの昇降リンク（不図示）に昇降自在に装着される。
【００１４】
図２及び３に示すように、上記耕耘ユニット２の左右幅方向中央には、トラクタの作業機ＰＴＯシャフト（不図示）を入力するギヤケース９が設けられており、このギヤケース９からは左右に筒状アーム１０が延設されている。筒状アーム１０の左端部にはチェーンケース１１が設けられており、作業機ＰＴＯ軸からの動力を上記ロータリ装置３の耕耘軸１２に伝達していると共に、その右端にはサイドプレート１３が設けられている。耕耘軸１２はこれらチェーンケース１１及びサイドプレート１３によって回転自在に軸支され、その外周には軸方向に所定間隔をあけて放射状に複数の耕耘爪１５・・・が取付けられている。
【００１５】
上記耕耘爪１５・・・は、耕耘軸１２から垂直方向に伸びた縦刃部１５ａと、この縦刃部１５ａの先端を耕耘軸１２の左右方向に湾曲させた横刃部（耕耘爪の曲がり）１５ｂとから構成されており、耕耘軸１２の周方向に少なくとも２つは取付けられると共に、その横刃部１５ｂの曲がりが、左右どちらか一方向のみで形成されないようになっている。また、これらの耕耘爪１５・・・はその上方をカバー部材１６で覆われており、泥土の飛散を防止している。
【００１６】
耕耘ユニット２は、上述したロータリ装置３の耕耘爪１５・・・を回転させることによって圃場に耕起部（耕起溝）１７を形成すると共に、ロータリ装置３の後方でツールバー６に取付けられたゲージ輪１９の高さを調節して、耕耘爪１５・・・の耕起深さを調節可能に構成されている。
【００１７】
上記ツールバー６は耕耘ユニット２から後方に向って突出して設けられており、このツールバー６にはホルダ２０及び平行リンク２１を介して上述した播種ユニット５が取付けられている。播種ユニット５は、耕耘爪１５によって形成された耕起部１７に播種溝を形成する溝切り刃２２と、この播種溝に種子を播く播種機２３と、播種作業後の播種溝に覆土する覆土板２５と、播種溝を上部から押圧する鎮圧ローラ２６と、接地輪２７とを備え、上記播種機２３は大豆、麦及び稲などの種子を貯留する種子タンク２９と、種子タンク２９内の種子を播種溝に向って繰り出す繰り出し装置３０とから構成されている。
【００１８】
次に本願発明の要部である作溝手段について説明をする。本実施例における作溝手段である作溝爪３１は、ロータリ装置３の右側面に設けられており、耕耘軸１２と連動して回転することによって耕耘爪１５が圃場を耕起すると同時に、耕起部１７の右外側に排水溝３２を形成可能に構成されている。
【００１９】
図３に示すように、ロータリ装置３の耕耘軸１２は、軸方向に延長され、サイドプレート１３の軸受部３３から外側に突出した突出部１２ａを有しており、作溝爪３１は中空円筒状に設けられたその爪軸３５を上記耕耘軸１２の突出部１２ａに差込むことによって取付けられている。また、耕耘爪１５と同様に、作溝爪３１も上記爪軸３５の外周に放射状に取付けられており、爪軸３５から垂直方向に伸びた縦刃部３１ａと、縦刃部３１ａの先端を爪軸３５の左右方向に湾曲させた横刃部（作溝爪３１の耕耘軸方向の曲がり）３１ｂとから構成されている。
【００２０】
更に、上記作溝爪３１は耕耘爪１５よりも、その回転直径が大きく（Ｌ＞Ｍ）かつ、横刃部の長さを長く（Ｘ＞Ｙ）構成したことによって、排水溝３２をより深くかつ、幅広に形成できるように構成されていると共に、軸方向に湾曲した横刃部３１ｂの曲がりを耕耘爪１５に比して緩く（曲率（曲率半径の逆数）が小さくなるように）形成したことによって、掻取った土をより遠くまで飛ばすことが出来るように構成されている。また、作溝爪３１の上方はサイドプレート１３側から延びたカバー部材３６によって覆われており、泥土の飛散を防止している。
【００２１】
なお、上記作溝爪３１はロータリ装置３の左右どちらの側面に装着してもよく、また、ロータリ装置３の両側面に装着してもよい。更に、作溝爪３１は、必ずしも耕耘軸１２に取付ける必要もなく、溝切り刃２２の軸２２ａなど、部分耕耘直播機１の前後方向どの位置に装着してもよい。
【００２２】
更に、作溝爪３１の爪軸２５は、スプライン嵌合や固定ピンなど、様々な方法で耕耘軸１２に固定することができ、差込方式のほかにも耕耘軸１２の突出部１２ａをスライド式にし、延長された突出部１２ａに作溝爪３１を装着しても良い。
【００２３】
次に本実施形態に係る部分耕耘直播機１の作用について説明をする。作業者は、乾田直播栽培によって大豆、小麦及び稲などの作物の種子を圃場に播種しようとするとき、まず、種子タンク２９に種子を充填すると共に、ヒッチ部７を昇降リンクに取付けて、トラクタの後部に部分耕耘直播機１を装着する。また、排水溝３２を播種作業と同時に形成するため、耕耘軸１２の突出部１２ａに作溝爪３１の爪軸３５を差込んで固定する。
【００２４】
トラクタに上記部分耕耘直播機１が装着されると、作業者はトラクタに乗り込み圃場を往復する。トラクタが駆動すると部分耕耘直播機１は、作業機ＰＴＯ軸からの動力を受けてロータリ装置３を回転させ、播種を行う圃場面のみを耕起して行くと共に、ロータリ装置３の後方に設けられた溝切り刃２２によって圃場の耕起部１７に播種溝を形成する。播種溝が形成されると、部分耕耘直播機１は播種機２３によってその播種溝に種子を播き、覆土板２５によって土を被せると共に、鎮圧ローラ２６によって被せた土を押圧する。
【００２５】
また、ロータリ装置３の右側方では作溝爪３１が耕耘爪１５と連動して回転しており、この作溝爪３１が図１中Ａ方向に回転すると、作溝爪３１の横刃部３１ｂが圃場の土を掻き取り、その曲率の小さい湾曲部で掻き取った土を排出することによって、幅広かつ一定の深さを有した排水溝３２が耕起部１７の外側に形成される。
【００２６】
そのため、トラクタが圃場を往復することによって、播種作業が行われると共に、その側方には排水溝３２が形成されて行き、作業者は圃場を往復するだけで播種作業及び排水溝の形成を終える。
【００２７】
上記のように部分耕耘直播機１を構成したことによって、播種作業と同時に排水溝３２を圃場に形成することができるため、播種作業前に排水溝３２を形成する必要がなく、大幅に作業時間を短縮することができる。また、耕起部１７に沿って自動的に排水溝３２が形成されるため、正確かつ容易に排水溝３２を形成することが出来ると共に、車輪が落ち込んで排水溝３２を壊す虞もない。
【００２８】
更に、作溝爪３１を耕耘爪１５よりも長く構成して、その回転直径を耕耘爪１５の回転直径よりも大きくした（Ｌ＞Ｍ）ことによって、排水溝３２を深く形成することができる。また、横刃部３１ｂの長さを長くすること（Ｘ＞Ｙ）によって、その左右幅も広いものとすることができる。
【００２９】
更に、横刃部３１ｂの曲がりを緩くすることによって、掻き取った土を外側に効率よく排出することができ、上述したように排水溝３２が深くかつ幅広であっても、その溝内に土が残るのを極力少なくすることができる。
【００３０】
また、作溝爪３１を耕耘軸１２の突出部１２ａに爪軸３５を差込むだけの簡単な構成で脱着できるようにしたことによって、畦際や枕地などで排水溝３２を掘る必要がないときには、容易に作溝爪３１を取外しすることができる。更に、作溝爪３１を装着することによって、別途、溝堀機を購入する必要がないと共に、作溝爪３１を取外せば部分耕耘直播機１を中耕除草や施肥など一年を通して様々な用途に使用することもできる。
【００３１】
＜実施形態２＞
図４及び５は、本発明の実施形態２に係る部分耕耘直播機１を示したものであり、作溝手段として作溝爪３１の他に、残耕を処理するスキ３７を装着している。以下に、実施形態１と相違する部分について説明をする。
【００３２】
図４及び５に示すように、部分耕耘直播機１は、排水溝３２を掘るための作溝手段としてロータリ装置３の右側方に作溝爪３１を装着していると共に、作溝爪３１の後方には残耕を処理するためのスキ３７が設けられている。上記スキ３７は、ゲージ輪１９が取付けられているツールバー６に取付けられており、作溝爪３１が形成した排水溝３２を浚って残った土を取り除いている。
【００３３】
それにより、作業者は排水溝３２の残耕を取り除くことができ、深く、幅広な排水溝の排水機能を十分に発揮させることができる。また、崩れて排水機能を発揮しない排水溝を無くすことができる。
【図面の簡単な説明】
【００３４】
【図１】本発明の実施形態１に係る部分耕耘直播機の側面図。
【図２】本発明の実施形態１に係る耕耘ユニットの平面図。
【図３】本発明の実施形態１に係るロータリ装置の後面図。
【図４】本発明の実施形態２に係る部分耕耘直播機の側面図。
【図５】本発明の実施形態２に係る耕耘ユニットの平面図。
【符号の説明】
【００３５】
１      部分耕耘直播機
２      耕耘ユニット
３      ロータリ装置
５      播種ユニット
１２    耕耘軸
１５    耕耘爪
１５ｂ  耕耘爪の横刃部（耕耘爪の曲がり）
１７    耕起部
２２    溝切り刃
２３    播種機
３１    作溝爪（作溝手段）
３１ｂ  作溝爪の横刃部（作溝爪の曲がり）
３２    排水溝
３７    スキ（作溝手段）
Ｌ      作溝爪の回転直径
Ｍ      耕耘爪の回転直径
【図１】
2009291094.tif 000003
【図２】
2009291094.tif 000004
【図３】
2009291094.tif 000005
【図４】
2009291094.tif 000006
【図５】
2009291094.tif 000007